(57)【要約】【課題】基板表面の反射率の低下を抑え、識別マークを見やすくすること。【解決手段】チップＬＥＤ１０１が実装された基板を備える照明装置であって、基板は、レジスト膜で形成されたレジスト層１０３（Ｒ）と、レジスト層１０３（Ｒ）の上位にシルク印刷されたシルク層１０２（Ｗ）と、を有し、レジスト層１０３（Ｒ）又はシルク層１０２（Ｗ）のいずれか一方の色はチップＬＥＤ１０１の発光色と同じ色であり、もう一方の色は白色である。【選択図】図１
2015220664.tif 000002
【特許請求の範囲】
【請求項１】
光源が実装された基板を備える照明装置であって、
前記基板は、レジスト膜で形成されたレジスト層と、前記レジスト層の上位にシルク印刷されたシルク層と、を有し、
前記レジスト層又は前記シルク層のいずれか一方の色は前記光源の発光色と同じ色であり、もう一方の色は白色であることを特徴とする照明装置。
【請求項２】
前記光源の発光色と前記レジスト層の色が同じ色であり、
前記基板上の部品の実装の指示及び表示を行う識別マークは、前記識別マークの形状に沿って前記シルク層を抜いてレジスト層を露出させることにより形成されることを特徴とする請求項１に記載の照明装置。
【請求項３】
前記光源の発光色と前記シルク層の色が同じ色であり、
前記基板上の部品の実装の指示及び表示を行う識別マークは、前記識別マークの形状に沿って前記シルク層を抜いてレジスト層を露出させることにより形成されることを特徴とする請求項１に記載の照明装置。
【請求項４】
前記光源の発光色と前記レジスト層の色が同じ色であり、
前記基板上の部品の実装の指示及び表示を行う識別マークは、前記シルク層によって形成されることを特徴とする請求項１に記載の照明装置。
【請求項５】
前記光源の発光色と前記シルク層の色が同じ色であり、
前記基板上の部品の実装の指示及び表示を行う識別マークは、前記シルク層によって形成されることを特徴とする請求項１に記載の照明装置。
【請求項６】
前記識別マークは、記号、文字、印の少なくとも一つ以上から構成されていることを特徴とする請求項２乃至５のいずれか１項に記載の照明装置。
【請求項７】
前記光源は、単色の発光ダイオードであることを特徴とする請求項１乃至６のいずれか１項に記載の照明装置。
【請求項８】
前記基板には、複数の前記光源が実装されていることを特徴とする請求項１乃至７のいずれか１項に記載の照明装置。
【請求項９】
静電潜像が形成される像担持体と、
前記像担持体に前記静電潜像を形成するための露光を行う露光手段と、
を備え、
前記露光手段は、請求項１乃至８のいずれか１項に記載の照明装置を有することを特徴する画像形成装置。
【発明の詳細な説明】
【技術分野】
【０００１】
本発明は複数個の光源を基板上に実装した照明装置及びその照明装置を備えた画像形成装置に関する。
【背景技術】
【０００２】
今日、小型で安価な光源として発光ダイオード（以下、ＬＥＤと記す）が普及し、表示器としての用途だけでなく、ＬＥＤを複数実装して照明とする基板が様々な製品で使用されている。例えば蛍光灯型ＬＥＤ照明の中や、液晶画面のバックライト、スキャナ等の画像読み取り装置において原稿に光を当てる照明、レーザプリンタにおける除電ランプなどにＬＥＤを複数実装した基板が使用されている。除電ランプとは、レーザプリンタ等の画像形成装置の画像形成部において、トナー像の転写が終了した後の感光ドラム表面の電位を下げると共に、電位の分布を均一化するために光照射を行うランプである。除電ランプでは、例えば長辺が感光ドラムと同等の幅を有する略長方形の基板上に、光源であるＬＥＤが長手方向に直線状に所定の間隔をおいて複数配置されており、ＬＥＤを点灯することで感光ドラムの長手方向が一様に照らされ除電されるものがある。
【０００３】
ここで、レジストと呼ばれる基板の保護膜は、一般的には緑色のものが多い。これは、出荷時の基板の目視検査において、検査者の目を疲れにくくするため等の理由によるものと言われている。一方、ＬＥＤを光源として使用する場合には、コストの関係から赤色のＬＥＤが採用されることが多い。ところが、緑色は赤い光の反射率が低いため、緑色のレジストが設けられた基板に除電ランプとして赤いチップＬＥＤを載せた場合には、ＬＥＤが基板を照らす光はほとんど吸収されてしまい、反射されない。そのため、照明としては効率が低く、更にＬＥＤとＬＥＤとの間が暗くなる（照度が低下する）ため、ＬＥＤが照射する対象面での照度ムラが発生する。その結果、除電ランプが照らしている感光ドラムの表面電位にムラが発生し、最終的に画像形成装置が形成する画像に影響が出てしまうことになる。
【０００４】
その対策として、例えば特許文献１では、ＬＥＤの光を効率的に反射させるため、基板の表面を白色のレジスト膜でコーティングする方法が提案されている。また、白色のレジストだけでは直下の基板の色が透けてしまうため、例えば特許文献２では、白色度合いを高める目的で白色レジストの上に白色シルク（基板上に文字を記すためのシルク印刷部分）をベタ塗りする方法が提案されている。すなわち、基板表面に反射率の高い白色シルクを塗るなどして基板に散乱する光を効率的に反射することで、基板全体の光量を増加させる方法である。また、基板製造時に誤実装を避けるため、ＬＥＤの近傍に部品の向きを示すマークや、回路図上の部品との対応を分かりやすくするためのロケーションナンバーなどの識別マークがシルク印刷によって描かれることがある。そのため、例えば特許文献３は、このシルク部分による光の吸収を抑えるため、反射率の高い白色レジストをコーティングした基板に対し、白色レジストよりは反射率の低い白色シルクを使って識別マークを形成することを提案している。
【先行技術文献】
【特許文献】
【０００５】
【特許文献１】特開２００１−７７９８１号公報
【特許文献２】特開２０１０−１９３１７５号公報
【特許文献３】特開２０１０−２１９２０８号公報
【発明の概要】
【発明が解決しようとする課題】
【０００６】
しかしながら、上述した特許文献２のように、基板の広範囲に亘って白色シルクを塗ろうとしても、基板の端まで塗るとシルクが基板から垂れてしまうといったような製造上の課題があり難しい。シルクを塗った後に基板分割を行えば、この課題を解決することはできるが、捨て基板が発生してしまうという課題が生じる。また、上述した識別マークを描く場合は、白色シルク層の上位に、白以外のシルク層が別途必要となる。識別マークに関しても、特許文献３に提案された方法では反射率の違いがあるとはいえ、白地レジストの上に白色シルクで識別マークが描かれているので判別しづらい。元々、基板のレジスト膜が検査者の目の疲労防止のために緑であることを考えると、識別マークも検査者に対して見やすい方が良い。しかし、基板表面に描かれる識別マークは、人が目で見てわかるように基板表面の色と違う色で描かなくてはならないため、その部分で反射率が落ちてしまうという課題がある。また、特許文献３では使用するＬＥＤは白色のＬＥＤであることが条件となっているが、一般的に白色ＬＥＤは価格が高く、コストアップという課題が生じる。そのため、ＬＥＤには、白色である必要がなければ、通常は赤色等の有色ＬＥＤが使用されることが多い。
【０００７】
本発明は、このような状況のもとでなされたもので、光源色の光の基板表面における反射率の低下を抑え、識別マークを見やすくすることを目的とする。
【課題を解決するための手段】
【０００８】
前述の課題を解決するために、本発明は、以下の構成を備える。
【０００９】
（１）光源が実装された基板を備える照明装置であって、前記基板は、レジスト膜で形成されたレジスト層と、前記レジスト層の上位にシルク印刷されたシルク層と、を有し、前記レジスト層又は前記シルク層のいずれか一方の色は前記光源の発光色と同じ色であり、もう一方の色は白色であることを特徴とする照明装置。
【００１０】
（２）静電潜像が形成される像担持体と、前記像担持体に前記静電潜像を形成するための露光を行う露光手段と、を備え、前記露光手段は、前記（１）に記載の照明装置を有することを特徴する画像形成装置。
【発明の効果】
【００１１】
本発明によれば、光源色の光の基板表面における反射率の低下を抑え、識別マークを見やすくすることができる。
【図面の簡単な説明】
【００１２】
【図１】実施例１の照明装置の基板の構成を説明する図
【図２】実施例２、３、４の照明装置の基板の構成を説明する図
【図３】画像形成装置の模式図
【発明を実施するための形態】
【００１３】
以下に、図面を参照して本発明の実施の形態について詳細に説明する。
【実施例１】
【００１４】
［基板の構成］
図１は、実施例１の照明装置に用いられる、赤色のチップＬＥＤ（発光ダイオード）を実装した、片面が紙フェノール樹脂からなる基板を示す図である。図１（ａ）は基板を上方向から見た基板上面図であり、図１（ｂ）は、図１（ａ）に示す基板をＡ−Ａ面（破線）で切断した場合の断面を示す断面図である。また、本実施例の照明装置の照射の対象は、波長６００ｎｍ以上（赤色〜赤外領域）に強い感度を有するように作成された物体とする。なお、図１は、照明装置の基板の一部を示す図であり、本実施例の照明装置では、図１（ａ）に示す基板の長手方向に複数のチップＬＥＤが所定の間隔を設けて並べて実装された構成となっており、以下の実施例においても同様である。また、使用するチップＬＥＤは単色の発光ダイオードである。
【００１５】
図１（ｂ）に示すように、基板は、紙フェノール樹脂の基材１０５と、基材１０５上に形成された３つの層から構成されている。すなわち、基材１０５上に形成された導電層１０４、導電層１０４の上位にレジスト膜で形成されたレジスト層１０３、レジスト層１０３の上位にシルク印刷されたシルク層１０２から構成されている。レジスト層１０３の色が、白色の場合は（Ｗ）、赤色の場合は（Ｒ）を符号の末尾に付加する。シルク層１０２の色についても同様に、白色の場合は（Ｗ）、赤色の場合は（Ｒ）を符号の末尾に付加する。また、図１（ａ）に示すように、１０１は赤色のチップＬＥＤ、１０２（Ｗ）は白色のシルク層、１０６は識別マーク、１０７は導通検査用チェックパッドである。更に、１０８は、白色のシルク層１０２（Ｗ）と赤色のレジスト層１０３（Ｒ）越しに透けて見える導電層１０４に形成された導電ラインである。また、１０９は、基板の端部（図１（ａ）短手方向の端部）から白色のシルク層１０２（Ｗ）までの間の隙間部分で、赤色のレジスト層１０３（Ｒ）が露出した部分である。
【００１６】
図１（ｂ）では、基板の断層を見やすくするため各層毎に描かれており、赤色のレジスト層１０３（Ｒ）と基材１０５の間の導電層１０４がない部分、すなわち導電ライン１０８がない部分は隙間（空間）になっている。実際には、導電層１０４において導電ライン１０８がない部分は、赤色のレジスト層１０３（Ｒ）と基材１０５が直接接し、隙間なく形成されている。また、図１（ａ）に示す識別マーク１０６は、実装工程や検査工程において人間が目視で部品の実装又は検査を行う際にミスが発生しないようにする目的で印されたものである。具体的には、識別マーク１０６は、作業者に対して、基板上の各部品の略称や部品の極性、注意すべき場所などを分かりやすく表示したり、指示したりする目的で、印や文字、記号を書いたものである。例えば、図１（ａ）の「ＬＥＤ００１」は部品（チップＬＥＤ１０１）の略称を示し、「ＣＰ００１」は導通検査用チェックパッド１０７の略称を示している。また、図１（ａ）中の導通検査用チェックパッド１０７の周囲の円（丸印）で示された識別マーク１０６は注意すべき場所を示し、チップＬＥＤ１０１の左側に描かれた円弧は、チップＬＥＤ１０１の実装すべき方向を示している。
【００１７】
［識別マークの形成方法］
本実施例の特徴は、白色のシルク層１０２（Ｗ）を識別マーク１０６の形に抜いて、シルク層１０２（Ｗ）の下位（直下）にある赤色のレジスト層１０３（Ｒ）を露出させることにより、識別マーク１０６を形成することにある。すなわち、例えば「ＬＥＤ」の文字は白いシルク層１０２（Ｗ）から「ＬＥＤ」という形状に印刷（シルク層）を抜くことで、下にある赤いレジスト層１０３（Ｒ）が「ＬＥＤ」の形状で露出することになる。そのため、図１（ａ）をＡ−Ａ面で切断すると、図１（ｂ）に示すように、識別マーク「ＬＥＤ００１」の「１」の部分はシルク層１０２（Ｗ）が切り取られ、レジスト層１０３（Ｒ）が露出している状態となる。その結果、人間の目には、白色背景（白地）に赤色で「ＬＥＤ」と書かれているように見える。ここで特徴的なことは、光源である赤色のチップＬＥＤ１０１の発光色と、識別マーク１０６の色が同じ赤色である点にある。
【００１８】
元来、シルク層１０２（Ｗ）の白という色は様々な色の光を反射するため、白い色として見える。また、白色は、赤色のチップＬＥＤ１０１から照射される赤い光に対しても、反射率が高い。しかし、識別マーク１０６を人間の視覚で認知しやすくするには、識別マーク１０６自体は白以外の色で形成する必要がある。本実施例の照明装置が対象に照射したい光の色は光源であるチップＬＥＤ１０１の発光色であり、その色を白色と同様に強く反射する色は、発光色と同じ赤である。これは、赤という色は、赤に対する反射率が最も高く、他の色に対する反射率は低いため、赤として見える所以である。このように、人間の視覚に対してはっきりと見える形で識別マーク１０６を形成し、且つ、本来対象に照射したい光の色でもある赤色は、識別マーク１０６や白色シルクを塗ることができない隙間部分１０９においても減衰することなく、効率的に反射される。その結果、基板全体としては、高い反射率を維持することができる。そして、識別マーク１０６をこのように形成することで、識別マーク１０６を形成するために、白色のシルク層１０２（Ｗ）とは異なる色のシルク層を最上部に設ける必要がなくなり、コストダウンや材料の節約につながる。更に、コントラストの高い識別マーク１０６が形成されるので、検査者も認識しやすく、部品の誤実装防止という効果を有する。
【００１９】
また、例えば赤色で識別マークが形成された基板に赤色のチップＬＥＤ、青色で識別マークが形成された基板に青色のチップＬＥＤなどのように、基板に実装される光源であるチップＬＥＤの発光色と識別マークの色を合わせる。これにより、実装すべき部品（チップＬＥＤ）の発光色を作業者が直感的に認識できるため、誤実装の更なる防止効果も生じる。なお、本実施例では、照明装置の照射対象として、赤色に対して強い感度を持つ物体を想定したため、赤色のチップＬＥＤ１０１と赤色のレジスト層１０３（Ｒ）を使用した。例えば、照射対象の物体が青に対して強い感度を持つ物体であれば、青色のチップＬＥＤと青色のレジスト層を使用すればよい。すなわち、必要とする光の波長に合わせ、光源から照射される光の感度が最も強くなるように、光源（チップＬＥＤ）の発光色と、シルク層又はレジスト層の色を同じになるように選択する。
【００２０】
以上説明したように、本実施例によれば、光源色の光の基板表面における反射率の低下を抑え、識別マークを見やすくすることができる。特に、シルク層を主反射面とし、光源の色と同じ色のレジスト層を使用して識別マークを抜き文字で作ることにより、シルク層で反射できない識別マークや基板の端のレジスト層が露出している部分においても、光源の光を効率よく反射することができる。また、主反射面であるシルク層を抜いて識別マークを作るので、識別マーク用に新たにシルク層を設ける必要もない。更に、抜き文字で作られた識別用のマークは、シルク層とは異なる色であるため、検査者にとっても非常に見やすく、疲労を軽減し、誤実装等の防止にもつながる。
【実施例２】
【００２１】
［基板の構成］
実施例１では、光源であるチップＬＥＤ１０１の発光色と基板のレジスト層１０３（Ｒ）の色が同じ赤色である照明装置について説明した。実施例２では、光源であるチップＬＥＤ１０１の発光色とシルク層１０２（Ｒ）の色が同じ赤色である照明装置について説明する。
【００２２】
図２は、実施例２の照明装置に用いられる、赤色のチップＬＥＤを実装した、片面が紙フェノール樹脂からなる基板を示す図である。図２（ａ）は基板を上方向から見た基板上面図であり、図２（ｂ）は、図２（ａ）に示す基板をＡ−Ａ面（破線）で切断した場合の断面を示す断面図である。また、本実施例の照明装置の照射の対象は、波長６００ｎｍ以上（赤色〜赤外領域）に強い感度を有するように作成された物体とする。なお、図２は、照明装置の基板の一部を示す図であり、図２に示す本実施例の照明装置の基板の構成において、実施例１の照明装置の基板と同様の構成については同じ符号を付し、説明を省略する。
【００２３】
［識別マークの形成方法］
図２（ａ）において、２０１は識別マークであり、２０２は基板の端部（図２（ａ）短手方向の端部）から赤色のシルク層１０２（Ｒ）までの間の隙間部分で、白色のレジスト層１０３（Ｗ）が露出した部分である。実施例１では、チップＬＥＤ１０１とレジスト層１０３（Ｒ）が同じ赤色であったのに対し、本実施例ではチップＬＥＤ１０１とシルク層１０２（Ｒ）が同じ赤色である。識別マーク２０１は、実施例１と同様に、赤色のシルク層１０２（Ｒ）を識別マーク２０１の形に抜いて、シルク層１０２（Ｒ）の下位にある白色のレジスト層１０３（Ｗ）を露出させることにより形成されている。例えば、図２（ｂ）では、識別マーク２０１の「ＬＥＤ００１」の「１」の部分のシルク層１０２（Ｒ）が抜かれ（切り取られ）、レジスト層１０３（Ｗ）が露出している状態を示している。その結果、人間の目には、赤色背景（赤地）に白色で文字や記号が書かれているように見える。
【００２４】
本実施例の特徴は、光源であるチップＬＥＤ１０１から照射される光の主な反射部となるシルク層１０２（Ｒ）の色が赤色になったことによって、赤色に対する反射率に特化していることが挙げられる。前述した実施例１では、全ての色に対する反射率が高い白色が大きな面積を占めていたため、赤色以外の光も反射されていた。しかし、本実施例のように反射部において支配的な色が赤色となると、赤色以外の色の光は吸収されてしまい、赤色の波長の光が選択的に反射されることになる。そのため、赤色光以外の光を対象装置に照射したくないような場合、例えば照射される対象物が赤より波長の短い光を当てるとダメージを受けるような特性を持っているような場合などには、本実施例の構成は有効となる。また、白色で形成される識別マーク２０１においても、白色は全ての色に対する反射率が高いので、赤色の照射光の反射率も低下することはない。
【００２５】
以上説明したように、本実施例によれば、光源色の光の基板表面における反射率の低下を抑え、識別マークを見やすくすることができる。
【実施例３】
【００２６】
［基板の構成］
実施例１、２では、基板のシルク層を識別マークの形に抜いて、シルク層の下位にあるレジスト層を露出させることにより識別マークを形成した照明装置について説明した。実施例３では、識別マークを形成するシルク層の部分を除き、レジスト層を露出させることで識別マークを形成した照明装置について説明する。
【００２７】
図２（ｃ）、（ｄ）は、実施例３の照明装置に用いられる、赤色のチップＬＥＤを実装した、片面が紙フェノール樹脂からなる基板を示す図である。図２（ｃ）は基板を上方向から見た基板上面図であり、図２（ｄ）は、図２（ｃ）に示す基板をＡ−Ａ面（破線）で切断した場合の断面を示す断面図である。また、本実施例の照明装置の照射の対象は、実施例１、２と同様に、波長６００ｎｍ以上（赤色〜赤外領域）に強い感度を有するように作成された物体とする。なお、図２（ｃ）、（ｄ）は、照明装置の基板の一部を示す図であり、図２（ｃ）、（ｄ）に示す本実施例の照明装置の基板の構成において、実施例１、２の照明装置の基板と同様の構成については同じ符号を付し、説明を省略する。
【００２８】
［識別マークの形成方法］
図２（ｃ）において、３０１は識別マークである。実施例１、２では、シルク層を識別マーク３０１の形に抜いて、シルク層の下位にあるレジスト層を露出させることにより識別マークが形成されていた。本実施例では、識別マーク３０１を形成するシルク層の部分はそのまま残し、識別マーク３０１以外のシルク層の部分を取り除き、レジスト層を露出させることで識別マーク３０１を形成している。例えば、図２（ｄ）では、識別マーク３０１の「ＬＥＤ００１」の「１」の部分のシルク層１０２（Ｗ）を除いて、シルク層１０２（Ｗ）が切り取られ、レジスト層１０３（Ｒ）が露出している状態を示している。すなわち、実施例２では、赤色のシルク層１０２（Ｒ）を抜いて、白色のレジスト層１０３（Ｗ）を露出させることで、赤色を背景に白色の識別マーク２０１を形成していた。一方、本実施例は、白色のシルク層１０２（Ｗ）の識別マーク３０１を構成する文字（例えば「ＬＥＤ００１」）以外の部分を取り除いて、赤色のレジスト層１０３（Ｒ）を露出させることで、赤色を背景に白色の識別マーク３０１を形成している。
【００２９】
また、実施例１、２では、基板の端部までシルクをベタ塗りすることができないために、基板の端部とシルク層１０２との間にレジスト層１０３が露出する隙間部分１０９（図１（ａ））、隙間部分２０２（図２（ａ））が存在していた。実施例３では、識別マーク３０１を形成する部分のシルク層を除き、シルク層が切り取られるために基板端部の隙間部分がなくなり、その結果、基板端部における色の変化が生じず、白色シルクの使用量も少なくなる。
【００３０】
更に、本実施例の特徴は、実施例２と同様に、光源であるチップＬＥＤ１０１から照射される光の主な反射部となるシルク層１０２（Ｒ）の色が赤色になったことによって、赤色に対する反射率に特化していることが挙げられる。そのため、赤色光以外の光を対象装置に照射したくないような場合、例えば照射対象物が赤より波長の短い光を当てるとダメージを受けるような特性を持っているような場合などには、本実施例の構成は有効となる。また、白色で形成される識別マーク３０１においても、白色は全ての色に対する反射率が高いので、赤色の照射光の反射率も低下することはない。
【００３１】
以上説明したように、本実施例によれば、光源色の光の基板表面における反射率の低下を抑え、識別マークを見やすくすることができる。
【実施例４】
【００３２】
［基板の構成］
実施例３では、識別マークを形成する基板のシルク層の部分を除き、レジスト層を露出させることで識別マークを形成した照明装置について説明した。実施例４では、識別マークの形成方法は実施例３と同じであるが、シルク層とレジスト層の色の関係が実施例３とは逆の関係となる照明装置について説明する。
【００３３】
図２（ｅ）、（ｆ）は、実施例４の照明装置に用いられる、赤色のチップＬＥＤを実装した、片面が紙フェノール樹脂からなる基板を示す図である。図２（ｅ）は基板を上方向から見た基板上面図であり、図２（ｆ）は、図２（ｅ）に示す基板をＡ−Ａ面（破線）で切断した場合の断面を示す断面図である。また、本実施例の照明装置の照射の対象は、実施例１〜３と同様に、波長６００ｎｍ以上（赤色〜赤外領域）に強い感度を有するように作成された物体とする。なお、図２（ｅ）、（ｆ）は、照明装置の基板の一部を示す図であり、図２（ｅ）、（ｆ）に示す本実施例の照明装置の基板の構成において、実施例１〜３の照明装置の基板と同様の構成については同じ符号を付し、説明を省略する。
【００３４】
［識別マークの形成方法］
図２（ｅ）において、４０１は識別マークである。実施例３では、識別マーク３０１を形成する白色のシルク層１０２（Ｗ）の部分はそのまま残し、識別マーク３０１以外のシルク層１０２（Ｗ）の部分を取り除き、赤色のレジスト層１０３（Ｒ）を露出させることで、赤地に白の識別マーク３０１を形成していた。一方、本実施例では、識別マーク４０１を形成する赤色のシルク層１０２（Ｒ）の部分はそのまま残し、識別マーク４０１以外のシルク層１０２（Ｒ）の部分を取り除き、白色のレジスト層１０３（Ｗ）を露出させる構成となっている。これにより、白地に赤の識別マーク４０１を形成している。また、本実施例でも、実施例３と同様に、識別マーク４０１を形成する部分のシルク層を除き、シルク層が切り取られるために基板端部の隙間部分がなくなり、その結果、基板端部における色の変化が生じず、赤色シルクの使用量も少なくなる。本実施例では、主な反射部となる部分であるレジスト層の色が白色になったことによって、全色に対して反射率が高くなる。また、ＬＥＤからの赤色光は、シルク層の識別マーク４０１の部分においても減衰することなく反射され、基板全体で高い反射率を維持することができる。以上説明したように、本実施例によれば、光源色の光の基板表面における反射率の低下を抑え、識別マークを見やすくすることができる。
【００３５】
［画像形成装置への適用］
実施例１〜４で説明した照明装置は、画像形成装置における各種の光源として使用することができる。上述した実施例の照明装置が適用された画像形成装置の構成について、図を用いて以下に説明する。
【００３６】
画像形成装置の一例として、レーザビームプリンタを例にあげて説明する。図３は電子写真方式のプリンタの一例であり、画像読み取り装置であるリーダ部６００（読取手段）を有するレーザビームプリンタの概略構成を示している。図３のリーダ部６００において、原稿台ガラス６０１に置かれた原稿６０２は、上述した実施例の照明装置が用いられた照明ランプ６０３によって照射される。そして、原稿６０２の反射光は、ミラー６０４、６０５、６０６を経て、レンズ６０８によりイメージセンサ６０９上に結像される。図３に示すように、ミラー６０４、照明ランプ６０３を載せたミラーユニット６３７、及びミラー６０５、６０６を載せたミラーユニット６０７が、不図示のモータにより図中、矢印方向に移動することにより、原稿６０２が走査される。
【００３７】
レーザビームプリンタ５００は、静電潜像が形成される像担持体としての感光ドラム５１１、感光ドラム５１１を一様に帯電する帯電部５１７（帯電手段）、感光ドラム５１１に形成された静電潜像をトナーで現像する現像部５１２（現像手段）を備えている。更に、レーザビームプリンタ５００は、感光ドラム５１１上に静電潜像を形成する露光装置５３０（露光手段）と感光ドラム上の電位の分布を均一化する除電ランプ５１９（除電手段）を備え、除電ランプ５１９には上述した実施例の照明装置が用いられる。また、露光装置５３０では、リーダ部６００により読み取られた画像データに基づいて、上述した実施例の照明装置が用いられる、光照射手段である光源５３１から光ビームが出射される。そして、光源５３１から出射された光ビームは、回転多面鏡５３２により偏向され、ミラーを介して、感光ドラム５１１上に静電潜像を形成する。
【００３８】
感光ドラム５１１に現像されたトナー像は、カセット５１６から供給された記録材であるシート（不図示）に転写部５１８（転写手段）によって転写され、シートに転写されたトナー像は定着器５１４（定着手段）で定着されトレイ５１５に排出される。この感光ドラム５１１、帯電部５１７、露光装置５３０、現像部５１２、転写部５１８、除電ランプ５１９が画像形成部である。また、レーザビームプリンタ５００は、画像形成部による画像形成動作や、シートの搬送動作を制御するコントローラ５２０を備えている。なお、上述した実施例の照明装置を適用可能な画像形成装置は、図３に例示したものに限定されず、例えば、複数の画像形成部を備える画像形成装置であってもよい。更に、感光ドラム５１１上のトナー像を中間転写体である中間転写ベルトに転写する一次転写部と、中間転写ベルト上のトナー像をシートに転写する二次転写部を備える画像形成装置であってもよい。
【符号の説明】
【００３９】
１０１          チップＬＥＤ
１０２（Ｗ）    シルク層（白色）
１０３（Ｒ）    レジスト層（赤色）
【図１】
2015220664.tif 000003
【図２】
2015220664.tif 000004
【図３】
2015220664.tif 000005